(57)【特許請求の範囲】
【請求項１】
平行に配設された複数の野縁の下面に天井パネルを取り付けた天井を上部構造より吊り下げ支持した吊り天井であって、
前記上部構造に固定された耐震補強材を前記野縁に取り付ける取付手段を備え、
前記取付手段に、前記野縁の溝部に係止する係止部と、前記係止部と別体に前記耐震補強材を取り付ける補強材取付部を備え、前記補強材取付部が前記係止部に水平方向に回動自在に支持されたことを特徴とする吊り天井の耐震構造。
【請求項２】
平行に配設された複数の野縁の下面に天井パネルを取り付けた天井を上部構造より吊り下げ支持した吊り天井であって、
前記上部構造に固定された耐震補強材を前記野縁に取り付ける取付手段を備え、
前記取付手段は、前記野縁の溝部に挿入可能な一対の立ち上げ部と、前記立ち上げ部の先端を外側に折り曲げて、前記溝部の内面に前記野縁の長手方向に沿って係合可能に設けられ、前記野縁を前記溝部に沿ってスライド自在に保持する係止部とを備えたことを特徴とする吊り天井の耐震構造。
【請求項３】
前記取付手段に、前記係止部と別体に前記耐震補強材を取り付ける補強材取付部を備えたことを特徴とする請求項２記載の吊り天井の耐震構造。
【請求項４】
前記取付手段に、前記溝部の幅寸法の異なる複数種類の前記野縁に対応して、前記係止部を複数備えたことを特徴とする請求項１〜３のいずれか１項に記載の吊り天井の耐震構造。
【請求項５】
前記取付手段は、野縁受けが接続可能な野縁受接続部を備えたことを特徴とする請求項２記載の吊り天井の耐震構造。
【発明の詳細な説明】
【技術分野】
【０００１】
本発明は、野縁の下面に天井パネルを取り付けた天井を吊り下げ支持した吊り天井の耐震構造に関する。
【背景技術】
【０００２】
従来、野縁の下面に天井パネルを取り付けた天井を吊り下げ支持した吊り天井において、上端が上部構造に接合された耐震補強材となるブレースの下端を、野縁間に設けられた部材を介して天井パネルに直接接合した耐震構造があり（特許文献１）、地震時における天井の揺れを抑えていた。
【先行技術文献】
【特許文献】
【０００３】
【特許文献１】特開２００７−２３９４４１号公報
【発明の概要】
【発明が解決しようとする課題】
【０００４】
特許文献１に記載の吊り天井の耐震構造では、野縁間に設けられた部材の下面を多数のビスにより天井パネルに接合しており、多数のビスの螺子止め作業により、時間と手間がかかってしまい作業の効率が悪い、という問題点があった。
【０００５】
そこで、本発明は、上記課題を解消するものであり、施工に際しての作業性に優れた吊り天井の耐震構造を提供することを目的とする。
【課題を解決するための手段】
【０００６】
請求項１の発明の吊り天井の耐震構造は、平行に配設された複数の野縁の下面に天井パネルを取り付けた天井を上部構造より吊り下げ支持した吊り天井であって、前記上部構造に固定された耐震補強材を前記野縁に取り付ける取付手段を備え、前記取付手段に、前記野縁の溝部に係止する係止部と、前記係止部と別体に前記耐震補強材を取り付ける補強材取付部を備え、前記補強材取付部が前記係止部に水平方向に回動自在に支持されたことを特徴とする。
【０００７】
請求項２の発明の吊り天井の耐震構造は、平行に配設された複数の野縁の下面に天井パネルを取り付けた天井を上部構造より吊り下げ支持した吊り天井であって、前記上部構造に固定された耐震補強材を前記野縁に取り付ける取付手段を備え、前記取付手段は、前記野縁の溝部に挿入可能な一対の立ち上げ部と、前記立ち上げ部の先端を外側に折り曲げて、前記溝部の内面に前記野縁の長手方向に沿って係合可能に設けられ、前記野縁を前記溝部に沿ってスライド自在に保持する係止部とを備えたことを特徴とする。
【０００８】
請求項３の発明の吊り天井の耐震構造は、前記取付手段に、前記係止部と別体に前記耐震補強材を取り付ける補強材取付部を備えたことを特徴とする。
【０００９】
請求項４の発明の吊り天井の耐震構造は、前記取付手段に、前記溝部の幅寸法の異なる複数種類の前記野縁に対応して、前記係止部を複数備えたことを特徴とする。
【００１０】
請求項５発明の吊り天井の耐震構造は、前記取付手段は、野縁受けが接続可能な野縁受接続部を備えたことを特徴とする。
【発明の効果】
【００１１】
請求項１の発明によれば、既に天井パネルへ固定された野縁に耐震補強材を取り付けることで、取付作業を容易にし、施工に際しての作業性に優れた吊り天井の耐震構造を提供することができる。また、耐震補強材を取付手段を介して野縁に係止することにより、耐震補強材を野縁に容易に取り付けることができ、作業性をさらに向上させることができる。さらに、耐震補強材を任意の向きに設置することができるとともに、施工後も耐震補強材の向きを変更することが容易となり、耐震補強材を耐震効果が得られる所望の位置に配置することができるため、上部構造や天井内の配管、配線、機器等の設備を避けた位置に設置することで、施工性が向上する。
【００１２】
請求項２の発明によれば、既に天井パネルへ固定された野縁に耐震補強材を取り付けることで、取付作業を容易にし、施工に際しての作業性に優れた吊り天井の耐震構造を提供することができる。また、耐震補強材を取付手段を介して野縁に係止することにより、耐震補強材を野縁に容易に取り付けることができ、作業性をさらに向上させることができる。
【００１３】
請求項３の発明によれば、耐震補強材を任意の向きに設置することができるとともに、施工後も耐震補強材の向きを変更することが容易となり、耐震補強材を耐震効果が得られる所望の位置に配置することができるため、上部構造や天井内の配管、配線、機器等の設備を避けた位置に設置することで、施工性が向上する。
【００１４】
請求項４の発明によれば、溝部の幅寸法の異なる複数種類の前記野縁に対応して、耐震補強材を取り付けることが可能となり、作業性を向上させるとともに、一つの取付手段で複数種類の野縁に対応することが可能なため、製造コストの低減を図ることできる。
【００１５】
請求項５の発明によれば、上部構造の耐震構造と野縁と野縁受けを接続する接続構造を一体化して簡便な構造とすることで、製造コストや施工性に優れた吊り天井の耐震構造を提供することができる。
【図面の簡単な説明】
【００１６】
【図１】本発明の第１実施例における吊り天井の耐震構造の概略を示す平面図である。
【図２】同上、吊り天井の耐震構造を示す側面図である。
【図３】同上、取付手段の斜視図である。
【図４】同上、図３とは異なる方向からの取付手段の斜視図である。
【図５】同上、野縁接続部の斜視図である。
【図６】同上、野縁接続部と野縁部材の取付状態を示す断面図である。
【図７】同上、野縁接続部と幅狭な野縁部材の取付状態を示す断面図である。
【図８】本発明の第２実施例における取付手段の斜視図である。
【図９】同上、図８とは異なる方向からの取付手段の斜視図である。
【図１０】本発明の第３実施例における取付手段の分解斜視図である。
【図１１】同上、取付手段の斜視図である。
【図１２】同上、吊り天井の耐震構造の概略を示す平面図である。
【図１３】同上、図１２とは耐震補強材の向きを変えた状態での吊り天井の耐震構造の概略を示す平面図である。
【図１４】同上、図１２とは耐震補強材の向きをさらに変えた状態での吊り天井の耐震構造の概略を示す平面図である。
【図１５】本発明の第４実施例における吊り天井の耐震構造の概略を示す断面図である。
【図１６】同上、天井側取付手段の斜視図である。
【図１７】同上、野縁側取付手段の斜視図である。
【図１８】同上、図１７とは異なる方向からの野縁側取付手段の斜視図である。
【図１９】本発明の第５実施例における野縁側取付手段の斜視図である。
【図２０】同上、図１９とは異なる方向からの野縁側取付手段の斜視図である。
【図２１】本発明の第６実施例における取付手段の正面図である。
【図２２】本発明の第７実施例における野縁側取付手段の正面図である。
【発明を実施するための形態】
【００１７】
以下、本発明における実施の形態について、添付図面を参照しながら説明する。
【実施例１】
【００１８】
図１〜図７は本発明の第１実施例を示すものであり、本実施例の天井１は、互いに間隔をおいて配設された野縁部材２，25に、複数枚に分割された天井パネル３が取り付けられて一体化されることにより、全体として天井面を構成するものである。
【００１９】
ここで、本実施例の吊り天井構造の一例を示すと、それぞれ長手方向（図中、Ｘ方向）に沿って溝部として野縁側溝部４が形成された断面略Ｃ形状の溝形鋼からなる複数の野縁部材２，25と、コンクリート下地等の上部構造である天井スラブ５より垂設された垂設部材としての吊りボルト６に略Ｓ型形状の形鋼等からなるハンガー等の吊り下げ手段Ｈを介して接続された断面略Ｃ形状の形鋼からなる野縁受部材７とを、互いに直交させて一体化して格子体８を形成し、野縁部材２の下面に石膏ボード、コンパネ等の板材からなる天井パネル３をビス留めによって取り付けて構成するものである。
【００２０】
本実施例の吊り天井の耐震構造10は、吊り天井の所望とされる位置に上端部が天井スラブ等の上部構造３の下面に接合された取付金物11に剛接合された耐震補強材９と、この耐震補強材９を野縁部材２，25に取付可能とする取付手段12とを備えた構成である。尚、本実施例以外の吊り天井構造にも適用可能であり、上部構造３は天井スラブに限らず、梁などのその他の建築構造物でもよいものとする。
【００２１】
取付手段12は、略Ｖ字型に延設された補強材取付部13と、野縁部材２が取付可能な野縁接続部14を有するステンレス鋼、アルミニウム等の金属製の構造となっており、補強材取付部13と野縁接続部を分割自在に備えたものである。
【００２２】
補強材取付部13は、上部が水平に形成された基端部15の両端から、断面Ｃ字状の溝形鋼からなる一対の連結杆16を略Ｖ字型となるように上方に傾斜して延設されており、各連結杆16は水平方向から上向きの傾斜角度をθ１（０＜θ１＜９０°）として、上向きに傾斜して備えたものである。
【００２３】
各連結杆16には、複数の第１の連結用貫通部17を備えており、この第１の連結用貫通部17を介して、取付手段12をビス等の第１の固定手段18によって耐震補強材９に固定するものである。
【００２４】
ここで、図を元に補強材取付部13と野縁接続部14の分割構造について説明すると、補強材取付部13は、基端部15の下部を略直角に折り曲げて断面視略Ｌ型に形成した折り曲げ部19を備えたステンレス鋼、アルミニウム等の金属製の構造としている。
【００２５】
一方、野縁接続部14は、略方形状に形成されたステンレス鋼、アルミニウム等の金属製の薄板からなる野縁接続部本体20の対向する一対の両端部21,21より略平行に下向きに立ち上げられ、野縁部材２の野縁側溝部４に挿入可能な一対の第１の立ち上げ部22,22と、各第１の立ち上げ部22の先端を互いの距離が離れるよう外側へ上向きに折り曲げて断面略Ｊ型に形成し、野縁部材２の縁部２Ａの内面に長手方向（図中、Ｘ方向）に沿って係合可能に設けられ、野縁部材２を野縁側溝部４に沿ってスライド自在に保持する第１の係止部23が設けられている。
【００２６】
また、野縁接続部14には、第１の係止部23,23より間隔を小さく形成した幅狭な第２の係止部24,24を備えており、野縁部材２の長手方向（図中、Ｘ方向）と水平方向に直交する方向である短手方向（図中、Ｙ方向）の幅Ｈ１より小さい幅Ｈ２に設定された幅狭な野縁部材25への接続を可能としている。ここで、野縁部材２の幅Ｈ１及び野縁側溝部４の幅Ｌ１は、それぞれ幅狭な野縁部材25の幅Ｈ２及び野縁側溝部25Ａの幅Ｌ２の約２倍の大きさに設定されている。
【００２７】
ここで、第２の係止部24,24は、野縁接続部本体20の第１の立ち上げ部22，22間に第１の立ち上げ部22と略平行に下向きに立ち上げられ、且つ第１の立ち上げ部22，22間の間隔Ｍ１より幅狭な間隔Ｍ２に形成され、幅狭な野縁部材25の溝部25Ａに挿入可能な一対の第２の立ち上げ部26，26の先端を、互いの距離が離れるよう外側へ上向きに折り曲げて、幅狭な野縁部材25の縁部25Ｂの内面に長手方向（図中、Ｘ方向）に沿って係合可能に設けられ、幅狭な野縁部材25を溝部25Ａに沿ってスライド自在に保持する構造である。
【００２８】
さらに、野縁接続部本体20の四隅を略Ｌ型に延設した第１の固定片27を形成し、この第１の固定片27に形成された第１の固定用貫通部28に対してビス等の第２の固定手段29によって野縁部材２の側面に固定可能としている。また、第１の立ち上げ部22に形成された第２の固定用貫通部31に対してビス等の第３の固定手段32によって、幅狭な野縁部材の側面に固定可能としている。
【００２９】
また、野縁接続部本体20の前記両端部21,21と異なる両端部を上向きに立ち上げて補強用リブ33が形成されている。
【００３０】
そして、補強材取付部13の折り曲げ部19と野縁接続部14の野縁接続部本体20は、ビス等の第４の固定手段34によって着脱自在に接続されている。
【００３１】
耐震補強材９は、圧縮材と引張材との２材で１対となるブレース材として使用される断面略Ｃ形状の溝形鋼、Ｉ型鋼、Ｈ型鋼等の杆部材や、ワイヤー等の線材等からなり、取付手段12の第１の連結用貫通部２７にビス等の第５の固定手段35によって固定されるものである。
【００３２】
このように本実施例では、取付手段12は、補強材取付部13を野縁部材２が延設される方向でもある野縁部材２の長手方向（図中、Ｘ方向）と平行にして野縁接続部14に取り付けて、耐震補強材９を野縁部材２の長手方向（図中、Ｘ方向）と平行に配置可能としている。
【００３３】
また本実施例では、補強材取付部13と野縁接続部14を分割自在とすることで、作業性を向上するとともに、既存の野縁接続部に補強材取付部13を取り付けるだけで容易に取付手段12を構成することができ、製造コストを削減することができる。
【００３４】
さらに、本実施例の取付手段12は、複数の幅の係止部23,24を備えたことで、様々な幅寸法の野縁部材２，25に対応可能としている。
【００３５】
また本実施例では、連結手段10を、野縁部材２の長手方向（図中、Ｘ方向）に沿って野縁部材２の任意の位置に配置可能とすることにより、吊りボルト６等の垂設部材や天井スラブ５に配設されるその他の部材の設置位置に関係なく、耐震補強材９を任意の位置に配置することが可能となる。
【００３６】
以上のように本実施例は、平行に配設された複数の野縁である野縁部材２，25の下面に天井パネル３を取り付けた天井１を上部構造３より吊り下げ支持した吊り天井であって、前記上部構造３に固定された耐震補強材９を前記野縁部材２，25に取り付ける取付手段12を備えている。
【００３７】
この場合、既に天井パネル３へ固定された野縁部材２，25に耐震補強材９を取り付けることで、ビス留め等の作業を必要としないため、取付作業を容易にし、施工に際しての作業性に優れた吊り天井の耐震構造を提供することができる。
【００３８】
また、本実施例は、取付手段12に、野縁部材２，25の溝部である野縁側溝部２Ａ，25Ａに係止する係止部として第１の係止部23と第２の係止部24を備えている。
【００３９】
この場合、耐震補強材９を取付手段12を介して野縁部材２，25に係止することにより、耐震補強材９を野縁部材２，25にワンタッチで容易に取り付けることができ、作業性をさらに向上させることができる。
【００４０】
さらに、本実施例は、取付手段12に、野縁側溝部２Ａ，25Ａの幅寸法Ｌ１，Ｌ２の異なる複数種類の野縁部材２，25に対応して、係止部として第１の係止部23と第２の係止部24を複数備えている。
【００４１】
この場合、溝部２Ａ，25Ａの幅寸法Ｌ１，Ｌ２の異なる複数種類の野縁部材２，25に対応して、耐震補強材９を取り付けることが可能となり、作業性を向上させるとともに、一つの取付手段12で複数種類の野縁２，25に対応することが可能なため、製造コストの低減を図ることできる。
【００４２】
また、実施例上の効果として、天井パネル３に近い位置で天井パネル３と近い揺れ方をする野縁部材２，25に耐震補強材９を取り付けることにより、耐震補強材９を天井パネル３に近い位置に取り付けて、耐震補強材９と天井パネル３の距離を短くして、天井パネル３の揺れを耐震補強材９に効率良く伝達して天井スラブ５へ逃がす構造とし、天井パネル３の揺れに強い構造にすることができる。
【００４３】
さらに、取付手段12の耐震補強材９との連結部分である補強材取付部13を、略Ｖ字型に形成したことにより、地震等による天井パネル７の揺れによって生じる水平方向の力に対して、補強材取付部13が略Ｖ字型部分の弾性変形によって抵抗することで、水平方向の力に対して高い強度を得ることができ、防振性が向上する。
【実施例２】
【００４４】
次に図８及び図９は、本発明の第２実施例を示すものである。同図において、図１〜図７と同一部分には同一符号を付し、その共通する部分の詳細な説明は省略する。
【００４５】
本実施例の取付手段40は、補強材取付部13を野縁部材２の長手方向（図中、Ｘ方向）と直交する方向（図中、Ｙ方向）と平行に配置して、第４の固定手段34を介して野縁接続部14に着脱自在に取り付けたものである。
【００４６】
また本実施例では、各連結杆16を平坦な平板状に形成するとともに、連結杆16の基端部15との付け根部分に円弧部41を形成している。
【００４７】
さらに、第１の連結用貫通部17については、第１実施例の取付手段12では各連結杆16に予め２箇所ずつ設けられていたのに対して、本実施例では図中にて実線で示すように連結杆16に予め耐震補強材９を取り付ける際の基準点として一箇所だけ設けておき、図中にて一点鎖線で示すように耐震補強材９の取付時に連結杆16の基準点以外の箇所に第１の連結用貫通部17を適宜後付けで設けて、耐震補強材９を取り付けることが好ましい。また、第１の連結用貫通部17は全てが後付けであってもよく、設置箇所や設置数も図示された以外にも適宜変更可能である。
【００４８】
以上のように本実施例では、取付手段40を野縁部材２の長手方向（図中、Ｘ方向）に沿って野縁部材２の任意の位置に配置可能とすることにより、吊りボルト６等の垂設部材やその他の部材の位置に関係なく、耐震補強材９を任意の位置に配置することが可能となる。
【００４９】
さらに、本実施例の取付手段40と第１実施例の取付手段12を組み合わせて使用することで、耐震補強材９を野縁部材２の長手方向（図中、Ｘ方向）やその直交方向（図中、Ｙ方向）へ任意の方向に設置することが可能となる。
【実施例３】
【００５０】
次に図１０〜図１４は、本発明の第３実施例を示すものである。同図において、図１〜図９と同一部分には同一符号を付し、その共通する部分の詳細な説明は省略する。
【００５１】
本実施例の取付手段50は、野縁接続部14の野縁接続部本体20の中央部分に螺子孔51を設けるとともに、補強材取付部13の折り曲げ部19の中央部分に第３の固定用貫通部52を備えるとともに、この第３の固定用貫通部52の周辺の折り曲げ部19には複数の第４の固定用貫通部53，53，53を備え、第３の固定用貫通部52の直径が螺子孔51の直径より大径とする構成である。
【００５２】
そして、ビス等の第６の固定手段54を第３の固定用貫通部52を介して螺子孔51に螺着して、補強材取付部13を野縁接続部14に回動自在に保持し、補強材取付部13を野縁取付部14に対して所望の向きに配置したところで、ビス等の第７の固定手段55を第４の固定用貫通部53，53，53を介して野縁接続部本体20に螺着して、補強材取付部13を野縁取付部14に回動不能に固定するものである。そして、図１２〜図１４に示すように、耐震補強材９を野縁部材２の長手方向（図中、Ｘ方向）やその直交方向（図中、Ｙ方向）に限定されず、水平方向に対して３６０°いかなる方向に対して配置可能としている。
【００５３】
以上のように本実施例では、取付手段50に、第１の係止部23及び第２の係止部24と別体に耐震補強材９を取り付ける補強材取付部13を備え、補強材取付部13が第１の係止部23及び第２の係止部24に回動自在に支持されている。
【００５４】
この場合、耐震補強材９を任意の向きに設置することができるとともに、施工後も耐震補強材９の向きを変更することが容易となり、耐震補強材９を耐震効果が得られる所望の位置に配置することができるため、上部構造５や天井１内の配管、配線、機器等の設備を避けた位置に設置することで、施工性が向上する。
【実施例４】
【００５５】
次に図１５〜図１８は、本発明の第４実施例を示すものである。同図において、図１〜図１４と同一部分には同一符号を付し、その共通する部分の詳細な説明は省略する。
【００５６】
ここで、本実施例の吊り天井構造の一例を示すと、それぞれ長手方向（図中、Ｘ方向）に沿って溝部として野縁側溝部４が形成された断面略Ｃ形状の溝形鋼からなる複数の野縁部材２と、建物の上の階Ｕの床を構成するとともに、下の階Ｄの天井であるコンクリート下地等の上部構造である天井スラブ５より垂設された垂設部材としての吊りボルト６に略Ｓ型形状の形鋼等からなるハンガー等の吊り下げ手段Ｈを介して接続された断面略Ｃ形状の形鋼からなる野縁受部材７とを、互いに直交させて一体化して格子体８を形成し、野縁部材２の下面に石膏ボード、コンパネ等の板材からなる天井パネル３をビス留めによって取り付けて構成するものである。
【００５７】
本実施例の吊り天井の耐震構造10は、天井スラブ５より垂設された垂設部材である吊りボルト６に取付可能な天井側取付手段60と、野縁部材２に取付可能な野縁側取付手段61と、天井側取付手段60と野縁側取付手段61を連結する連結手段としての耐震補強材９を有する構造となっている。尚、本実施例以外の吊り天井構造にも適用可能であり、上部構造３は天井スラブに限らず、梁などのその他の建築構造物でもよいものとする。
【００５８】
天井側取付手段60は、略円形状の板材からなる当接部62と、当接部62の略中央部分から垂直方向に立設された中空な筒部63と、筒部63の当接部62側の基端部分より延設された天井側連結部64を有するステンレス鋼、アルミニウム等の金属製の構造となっている。
【００５９】
また、当接部62の略中央部分には、筒部63内部と連通して形成された垂設部材用貫通部65を備えており、本実施例の天井側取付手段60は、垂設部材用貫通部65から筒部63内部を通じて垂設部材を挿通可能に備えたものである。
【００６０】
当接部62に所定間隔をあけて複数形成された第５の固定用貫通部66を備えており、この第５の固定用貫通部66を介して、当接部62をビス等の第８の固定手段67によって天井スラブ５に固定するものである。
【００６１】
筒部63内部には、第１のねじ溝68が形成されており、吊りボルト６を螺着可能に備えている。また筒部63の外周が六角等の多角形状に形成されて、握り易く手に馴染む形状となっており、吊りボルト６への螺着が容易となっている。
【００６２】
天井側連結部64は、筒部63の基端部分より当接部62から下向きの傾斜角度をθ２（０＜θ２＜９０°）として、下向きに傾斜して延設されており、複数の第２の連結用貫通部69を備えており、この第２の連結用貫通部69を介して、天井側取付手段60をビス等の第９の固定手段70によって耐震補強材９に固定するものである。また、天井側連結部64の先端部分を略直角に折り曲げ形成した折り曲げ部64Ａにも、ビス等やワイヤー等が装着可能な第３の連結用貫通部71を備えており、この第３の連結用貫通部71を介して、天井側取付手段60と耐震補強材９を固定することも可能である。
【００６３】
野縁側取付手段61は、略Ｖ字型に延設された補強材取付部72と、野縁受部材７が接続可能な野縁受接続部73と、野縁部材２が接続可能な野縁接続部74を有するステンレス鋼、アルミニウム等の金属製の構造となっている。
【００６４】
補強材取付部72は、上部が水平に形成された基端部75の両端から、断面Ｃ字状の溝形鋼からなる一対の連結杆76を略Ｖ字型となるように上方に傾斜して延設されており、各連結杆76は水平方向から上向きの傾斜角度をθ１（０＜θ１＜９０°）として、上向きに傾斜して備えたものである。
【００６５】
各連結杆76には、複数の第４の連結用貫通部77を備えており、この第４の連結用貫通部77を介して、野縁側取付手段61をビス等の第10の固定手段78によって耐震補強材９に固定するものである。
【００６６】
野縁受接続部73は、補強材取付部72の基端部75から垂設された縦側当接部79と、補強材取付部72の基端部75の中央部分を切欠いて略水平に折り曲げ形成された上部当接部80と、縦側当接部79の下部を上部当接部80と略並行となるように水平に折り曲げ形成された下部当接部81と、上部当接部80と下部当接部81との間で野縁受部材７を締め付け保持する締結手段82を有する構造となっている。
【００６７】
締結手段82は、上部当接部80の一端に形成された締結用上部貫通部83と、下部当接部81の一端に形成された締結用下部貫通部84と、締結用上部貫通部83と締結用下部貫通部84に挿通可能な雄ねじ部材85と、締結用下部貫通部84に形成された雄ねじ部材85が螺合可能な第２のねじ溝86を有する構成となっており、第２のねじ溝86に代えて下部当接部81の下方からナットを雄ねじ部材85に螺合する構成でもよい。
【００６８】
野縁接続部74は、下部当接部81の対向する一対の両端部87より略平行に下向きに立ち上げられ、野縁部材２の野縁側溝部１に挿入可能な一対の立ち上げ部88と、各立ち上げ部88の先端を互いの距離が離れるよう外側へ上向きに折り曲げて断面略Ｊ型に形成し、野縁部材２の縁部２Ａの内面に長手方向（図中、Ｘ方向）に沿って係合可能に設けられ、野縁部材２を野縁側溝部１に沿ってスライド自在に保持する係止部89が設けられている。
【００６９】
耐震補強材９は、圧縮材と引張材との２材で１対となるブレース材として使用される断面略Ｃ形状の溝形鋼、Ｉ型鋼、Ｈ型鋼等の杆部材やワイヤー等の線材等からなり、天井側取付手段60と野縁側取付手段61の各連結用貫通部69，71，77にビス等の固定手段によって固定されるものである。
【００７０】
次に、上記構成についてその作用を説明する。最初に天井側取付手段60の取付方法について説明する。吊りボルト６を垂設部材用貫通部65から筒部63内に挿通していき、当接部62が天井スラブ５に当接するまで筒部63に吊りボルト６を螺着させて、第５の固定用貫通部66を介して、当接部62をビス等の第８の固定手段67によって天井スラブ５に固定して、天井側取付手段60の取り付けが完了する。
【００７１】
次に、野縁側取付手段61の取付方法について説明する。野縁接続部74の立ち上げ部88を野縁部材２の野縁側溝部１に挿入して、係止部89を野縁側溝部１の内面に野縁部材２の長手方向（図中、Ｘ方向）に沿って係合させて、野縁部材２を野縁側溝部１に沿ってスライド自在に保持する。
【００７２】
また、野縁受部材７を、上部当接部80、縦側当接部79、そして下部当接部81によってコ字型に区画された空間内に挿通して、野縁受部材７の上面部及び下面部をそれぞれ、上部当接部80下面及び下部当接部81上面に対向させた後、雄ねじ部材85・第２のねじ溝86による締め付けにより野縁受部材７の上面部と下面部をそれぞれ、上部当接部80下面と下部当接部81上面により挟持して、野縁受接続部73に野縁受部材７を固定する。
【００７３】
このように、野縁部材２及び野縁受部材７を、野縁側取付手段61を介して互いに直交させて、一体化した格子体８が組み立てられ、野縁部材２の下面部には天井パネル７が取り付けられる。
【００７４】
最後に、耐震補強材９の一方と天井側取付手段60を、第２の連結用貫通部69を介して第９の固定手段70により固定し、さらに、耐震補強材９の他方と野縁側取付手段61を第４の連結用貫通部77を介して第10の固定手段78により固定すると、耐震補強材９を介しての天井側取付手段60と野縁側取付手段61の連結が完了する。
【００７５】
そして、天井側取付手段60と野縁側取付手段61が耐震補強材９によって連結されたことにより、耐震補強材９によって地震等による天井パネル７に作用する水平方向の力に抵抗することで、天井パネル７の揺れを防止することができる。
【００７６】
以上のように本実施例は、平行に配設された複数の野縁２，25の下面に天井パネル３を取り付けた天井１を上部構造５より吊り下げ支持した吊り天井であって、上部構造５に固定された耐震補強材９を野縁部材２に取り付ける取付手段として野縁側取付手段61を備え、既に天井パネル３へ固定された野縁部材２に耐震補強材９を取り付けることで、ビス留め等の作業を必要としないため、取付作業を容易にし、施工に際しての作業性に優れた吊り天井の耐震構造を提供することができる。
【００７７】
また、本実施例は、野縁側取付手段61に、野縁部材２，25の野縁側溝部２Ａに係止する係止部89を備え、耐震補強材９を野縁側取付手段61を介して野縁部材２に係止することにより、耐震補強材９を野縁部材２にワンタッチで容易に取り付けることができ、作業性をさらに向上させることができる。
【００７８】
実施例上の効果として、天井である天井スラブ５から垂設された垂設部材としての吊りボルト６に取付可能な天井側取付手段60と、天井パネル７を保持する野縁部材２に取付可能な野縁側取付手段61と、天井側取付手段60と野縁側取付手段61を連結する耐震補強材９とを備え、天井側取付手段60に、天井スラブ５と当接可能な当接部62を備えたことにより、地震等による天井パネル７の揺れによって生じる力が、野縁側取付手段61から耐震補強材９を経て天井側取付手段60に伝わる際に、その力を当接部62から直接天井スラブ５へ逃がすことで、天井側取付手段60より垂設部材にかかる負荷を軽減して、吊りボルト６等の垂設部材やこの垂設部材を打設したアンカー部分等の破損を防止して、天井構造の安全性を高めることができる。また、天井パネル７に近い位置で天井パネル７と近い揺れ方をする野縁部材２に耐震補強材９を取り付けることにより、耐震補強材９を天井パネル７に近い位置に取り付けて、耐震補強材９と天井パネル７の距離を短くして、天井パネル７の揺れを耐震補強材９に効率良く伝達して天井スラブ５へ逃がす構造とし、天井パネル７の揺れに強い構造にすることができる。
【００７９】
また、当接部62は天井スラブ５と面接触可能とするものとし、当接部62を天井スラブ５と面接触可能としたことで、当接部62の天井スラブ５との接触面積を増加して天井スラブ５との接触を安定させることにより、天井パネル７から天井側取付手段60に伝わる力を天井スラブ５へ逃がしやすくなり、天井側取付手段60より垂設部材にかかる負荷をさらに軽減させることができる。
【００８０】
さらに、当接部62と天井スラブ５を固定する固定手段として第８の固定手段67を備え、当接部62を天井スラブ５に固定することで、天井パネル７から天井側取付手段60に伝わる力によって、天井側取付手段60が吊りボルト６等の垂設部材を軸に回転してしまうことを防止し、天井パネル７から天井側取付手段60に伝わる力をさらに天井スラブ５へ逃がしやすい構造にすることができる。
【００８１】
また、野縁側取付手段61の耐震補強材９との連結部分である補強材取付部72を、略Ｖ字型に形成したことにより、地震等による天井パネル７の揺れによって生じる水平方向の力に対して、補強材取付部72が略Ｖ字型部分の弾性変形によって抵抗することで、水平方向の力に対して高い強度を得ることができ、防振性が向上する。
【００８２】
さらに、前記野縁側取付手段61に、前記野縁部材２と野縁受部材７とを接続する野縁受接続部73を備えたことにより、天井スラブ５の耐震構造と野縁部材２と野縁受部材７を接続する接続構造を一体化して簡便な構造とすることで、製造コストや施工性に優れた天井耐震構造８を提供することができる。
【００８３】
また、補強材取付部72を上方へ略Ｖ字型に延設したことで、野縁側取付手段61において、耐震補強材９との連結部分である補強材取付部72が、野縁部材２との接続部分である野縁接続部74や野縁受部材７との接続部分である野縁受接続部73から距離をおいて形成されたことで、野縁側取付手段61と耐震補強材９の連結作業が行いやすくなり施工性が向上する。
【００８４】
さらに、天井側連結部64を、筒部63の基端部分より当接部62から下向きの傾斜角度をθ２（０＜θ２＜９０°）として、下向きに傾斜して形成したことにより、地震等による天井パネル７の揺れによって生じる水平方向の力に対して、天井側連結部64の弾性変形によって抵抗することで、水平方向の力に対して高い強度を得ることができ、防振性が向上する。
【００８５】
尚、本実施例の変形例として、吊りボルト６に換えて天井スラブ５の任意の位置に打設された杭部材を垂設部材とし、この杭部材を天井側取付手段60の垂設部材用貫通部65と筒部63に挿通させて使用することで、吊りボルト６が垂設された以外の天井スラブ５の任意の地点での吊り天井の耐震構造10の施工が可能となり、設計上の自由度が向上する。また、垂設部材に天井スラブ５に打設された杭部材を使用する場合には、第１のねじ溝68はなくてもよいものとする。さらに、天井側取付手段60の筒部63及び垂設部材用貫通部65を、吊りボルト６や杭部材等の垂設部材を遊嵌可能な大きさに形成してもよく、このように筒部63や垂設部材用貫通部65に垂設部材を遊嵌させれば、垂設部材にかかる負荷をさらに軽減することができる。
【実施例５】
【００８６】
次に図１９及び図２０は、本発明の第５実施例を示すものである。同図において、図１〜図１８と同一部分には同一符号を付し、その共通する部分の詳細な説明は省略する。本実施例では、第４実施例の変形例を示しており、本実施例の野縁側取付手段90は、各連結杆76を平坦な平板状に形成するとともに、各連結杆76の基端部75との付け根部分に円弧部91を形成している。
【００８７】
また、第３の連結用貫通部77については、第４実施例の野縁側取付手段60では各連結杆76に予め２箇所ずつ設けられているのに対して、本実施例では図中にて実線で示すように連結杆76に予め耐震補強材９を取り付ける際の基準点として一箇所だけ設けておき、図中にて一点鎖線で示すように耐震補強材９の取付時に連結杆76の基準点以外の箇所に第４の連結用貫通部77を適宜後付けで設けて、耐震補強材９を取り付けることが好ましい。また、第４の連結用貫通部77は全てが後付けであってもよく、設置箇所や設置数も図示された以外にも適宜変更可能である。
【実施例６】
【００８８】
次に図２１は本発明の第６実施例を示すものである。同図において、図１〜図２０と同一部分には同一符号を付し、その共通する部分の説明は省略する。
【００８９】
本実施例では、第１実施例の変形例を示しており、本実施例の野縁側取付手段100は、耐震補強材９を野縁側取付手段100に回動自在に保持する機構101として、基端部15と別体に備えた各連結杆16を、基端部15の左右両側に設けた軸受部102に軸芯103によって垂直方向（図中、Ｒ方向）に回動自在に軸支する機構を備えている。
【００９０】
以上のように本実施例では、耐震補強材９を野縁側取付手段100に回動自在に保持する機構101を備えたことにより、連結杆16を基端部15に垂直方向（図中、Ｒ方向）に回動自在に設け、連結杆16に取り付けられる耐震補強材９の垂直方向（図中、Ｒ方向）の設置角度を任意に設定することができる。
【実施例７】
【００９１】
次に図２２は、本発明の第７実施例を示すものである。同図において、図１〜図２１と同一部分には同一符号を付し、その共通する部分の説明は省略する。
【００９２】
本実施例では、第４実施例の変形例を示しており、本実施例の野縁側取付手段110は、耐震補強材９を野縁側取付手段110に回動自在に保持する機構111として、基端部75と別体に備えた各連結杆76を、基端部75の左右両側に設けた軸受部112に軸芯113によって垂直方向（図中、Ｒ方向）に回動自在に軸支する機構を備えている。
【００９３】
以上のように本実施例では、耐震補強材９を野縁側取付手段110に回動自在に保持する機構111を備えたことにより、連結杆76を基端部75に垂直方向（図中、Ｒ方向）に回動自在に設け、連結杆75に取り付けられる耐震補強材９の垂直方向（図中、Ｒ方向）の設置角度を任意に設定することができる。
【００９４】
本発明は上記各実施例に限定されるものではなく、本発明の要旨の範囲内において種々の変形実施が可能である。例えば、当接部62の形状は円形状に限らず、楕円形や多角形等でもよく、また当接部62の天井スラブ５との当接面についても、平坦な面形状に限らず、当接部62の当接面に複数の凸部を備え、この複数の凸部による点接触としてもよく、当接部62と天井スラブ５がガタつきなく安定して接触する構造であれば、当接部62の形状は特に限定されるものではない。
【００９５】
また、耐震補強材９に杆部材と線材を併用すれば、防振性がさらに向上するだけでなく、耐震補強材９としての線材が天井パネル３の落下防止手段として機能し、天井構造の安全性も向上する。さらに、天井側取付手段60と野縁側の各取付手段12,61を耐震補強材９によって連結するとともに、天井側取付手段60を第２の連結用貫通部71を介して耐震補強材９によって、他の天井側取付手段60や野縁側の各取付手段12,40等に連結すれば、防振性が更に向上する。
【００９６】
さらに、天井側取付手段60と耐震補強材９の連結は、第２の連結用貫通部71を介して行ってもよいものとする。
【符号の説明】
【００９７】
１  天井
２  野縁部材
３  天井パネル
４  野縁側溝部（溝部）
５  天井スラブ（上部構造）
７  野縁受部材
９  耐震補強材
10  吊り天井の防振構造
12  取付手段
13  補強材取付部
22  第１の立ち上げ部
23  第１の係止部
24  第２の係止部
25  幅狭な野縁部材
25Ａ  溝部
26  第２の立ち上げ部
40  取付手段
50  取付手段
61  野縁側取付手段（取付手段）
73  野縁受接続部
88  立ち上げ部
89  係止部
90  野縁側取付手段（取付手段）
100  野縁側取付手段（取付手段）
110  野縁側取付手段（取付手段）
【図１】
0005732950.tif 000002
【図２】
0005732950.tif 000003
【図３】
0005732950.tif 000004
【図４】
0005732950.tif 000005
【図５】
0005732950.tif 000006
【図６】
0005732950.tif 000007
【図７】
0005732950.tif 000008
【図８】
0005732950.tif 000009
【図９】
0005732950.tif 000010
【図１０】
0005732950.tif 000011
【図１１】
0005732950.tif 000012
【図１２】
0005732950.tif 000013
【図１３】
0005732950.tif 000014
【図１４】
0005732950.tif 000015
【図１５】
0005732950.tif 000016
【図１６】
0005732950.tif 000017
【図１７】
0005732950.tif 000018
【図１８】
0005732950.tif 000019
【図１９】
0005732950.tif 000020
【図２０】
0005732950.tif 000021
【図２１】
0005732950.tif 000022
【図２２】
0005732950.tif 000023